(57)【特許請求の範囲】
【請求項１】
寝具の載置されるボトムに脚上端を回動可能に組み付けて、脚下端をこのボトムに接しさせ又は近接させた折り畳み位置に位置づけ可能とされた脚体と、
アーム基端を前記脚体の脚上端と異なる位置をもって前記ボトムに回動可能に組み付けると共に、アーム下側部を前記脚体に備えられた係合部に対する摺接案内部とし、アーム自由端側にこの摺接案内部に案内された前記係合部の入り込む係合凹部を備えて、前記脚体が折り畳み位置にあるときにこの脚体とボトムとの間に折り畳み状に支持されるロックアーム体とを備え、
前記ボトムの持ち上げ操作による折り畳み位置から展開位置への前記脚体の回動に伴って前記摺接案内部に前記係合部を摺接させながら展開回動される前記ロックアーム体の前記係合凹部に展開位置において前記係合部が入り込んで前記脚体が展開位置にある状態を維持するようにしたベッドであって、
前記ロックアーム体のアーム自由端に、前記ロックアーム体の回動軸線にバー中心軸線を平行とするハンドルバーが備えられており、
前記脚体に、基準位置と係合位置とに亘る回動可能に備えられると共に、前記脚体の展開位置において前記ハンドルバーに係合して前記ロックアーム体の上方への回動を抑止するロック補助体を備えてなり、
前記ロック補助体は、前記脚体が展開位置にある状態において、前記ハンドルバーを受入可能とする下側開放の受入凹部を有すると共に、
前記脚体に回動可能に組み合わされたベースと、
前記ベースに回動可能に組み合わされ、且つ、前記受入凹部の左右内壁の一方となる部分を備えた爪体と、
前記爪体に対する付勢手段とを備えており、
基準位置にあるロック補助体の係合位置への回動操作に伴なう前記爪体へのハンドルバーの当接によって前記付勢手段の付勢に抗して前記爪体が回動して前記受入凹部へのハンドルバーの受入がなされるようにしてなる、ベッド。
【請求項２】
前記係合部が前記係合凹部の近傍において前記摺接案内部に接する展開位置に至る直前の位置に前記脚体がある状態においては、係合位置に向けた前記ロック補助体の回動操作によって前記付勢手段の付勢に抗した前記爪体の回動が生じないようにしてなる、請求項１に記載のベッド。
【請求項３】
前記ロック補助体を基準位置に向けて常時付勢する付勢手段を備えてなる、請求項１又は請求項２に記載のベッド。
【発明の詳細な説明】
【技術分野】
【０００１】
この発明は、寝具を載せるボトムの上面のレベルを高くさせた利用状態とこれを低くさせた非利用状態との切り替え可能にこのボトムを支持する脚体を備えてなるベッドの改良に関する。
【背景技術】
【０００２】
従来、寝具を載せるボトム１００の上面のレベルを高くさせた利用状態とこれを低くさせた非利用状態との切り替え可能にこのボトム１００を支持する脚体２００を備えてなるベッドとして、図１１及び図１２に示される構造のものが用いられている。
【０００３】
かかるベッドは、ボトム１００に脚上端２００ａを回動可能に組み付けて、脚下端２００ｂをこのボトム１００に接しさせ又は近接させた折り畳み位置に位置づけ可能とされた脚体２００と、アーム基端３００ａを脚体２００の脚上端２００ａと異なる位置をもってボトム１００に回動可能に組み付けると共に、アーム下側部３００ｂを脚体２００に備えられた係合部２００ｃへの摺接案内部とし、アーム自由端３００ｃ側にこの摺接案内部に案内された係合部２００ｃの入り込む係合凹部３００ｄを備えて、前記脚体２００が折り畳み位置にあるときにこの脚体２００とボトム１００との間に折り畳み状に支持されるロックアーム体３００とを備えている。
【０００４】
そして、かかるベッドにあっては、ボトム１００の持ち上げ操作による折り畳み位置（図１１）から展開位置（図１２）への脚体２００の回動に伴って摺接案内部に係合部２００ｃを摺接させながら展開回動されるロックアーム体３００の前記係合凹部３００ｄに展開位置において前記係合部２００ｃが入り込んで脚体２００が展開位置にある状態を維持するようにしている。
【０００５】
この種のベッドにおける、脚体が展開位置にあり、ベッドがボトムの上面のレベルを高くさせた利用状態にある状態を、安定的に確保できるようにしたものとして、本出願人が先に開示した特許文献１に示されるものがある。
【先行技術文献】
【特許文献】
【０００６】
【特許文献１】特許第５１０６４７５号公報
【発明の概要】
【発明が解決しようとする課題】
【０００７】
この発明が解決しようとする主たる問題点は、この種のベッドにおける、脚体が展開位置にあり、ベッドがボトムの上面のレベルを高くさせた利用状態にある状態を、特許文献１に示される手法と別の手法をもって、安定的に確保できるようにする点にある。
【課題を解決するための手段】
【０００８】
前記課題を達成するために、この発明にあっては、ベッドを、寝具の載置されるボトムに脚上端を回動可能に組み付けて、脚下端をこのボトムに接しさせ又は近接させた折り畳み位置に位置づけ可能とされた脚体と、
アーム基端を前記脚体の脚上端と異なる位置をもって前記ボトムに回動可能に組み付けると共に、アーム下側部を前記脚体に備えられた係合部に対する摺接案内部とし、アーム自由端側にこの摺接案内部に案内された前記係合部の入り込む係合凹部を備えて、前記脚体が折り畳み位置にあるときにこの脚体とボトムとの間に折り畳み状に支持されるロックアーム体とを備え、
前記ボトムの持ち上げ操作による折り畳み位置から展開位置への前記脚体の回動に伴って前記摺接案内部に前記係合部を摺接させながら展開回動される前記ロックアーム体の前記係合凹部に展開位置において前記係合部が入り込んで前記脚体が展開位置にある状態を維持するようにしたベッドであって、
前記ロックアーム体のアーム自由端に、前記ロックアーム体の回動軸線にバー中心軸線を平行とするハンドルバーが備えられており、
前記脚体に、基準位置と係合位置とに亘る回動可能に備えられると共に、前記脚体の展開位置において前記ハンドルバーに係合して前記ロックアーム体の上方への回動を抑止するロック補助体を備えてなる、ものとした。
【０００９】
かかる構成によれば、脚体が展開位置にある状態を簡素な構造をもって安定的に維持させることができる。すなわち、脚体の展開位置においてロックアーム体の係合凹部に入り込んだ脚体の係合部はロックアーム体を上方に回動させない限り係合凹部から抜け出されることはないところ、ロック補助体とハンドルバーとの係合を解除しない限り、係合位置にあるロック補助体によってロックアーム体の上方への回動は抑止される。
【００１０】
前記ロック補助体を基準位置に向けて常時付勢する付勢手段を備えさせておくことが、この発明の好ましい態様の一つとされる。
【００１１】
また、前記ロック補助体は、前記脚体が展開位置にある状態において、前記ハンドルバーを受入可能とする下側開放の受入凹部を有すると共に、
前記脚体に回動可能に組み合わされたベースと、
前記ベースに回動可能に組み合わされ、且つ、前記受入凹部の左右内壁の一方となる部分を備えた爪体と、
前記爪体に対する付勢手段とを備えており、
基準位置にあるロック補助体の係合位置への回動操作に伴なう前記爪体へのハンドルバーの当接によって前記付勢手段の付勢に抗して前記爪体が回動して前記受入凹部へのハンドルバーの受入がなされるようにしておくことが、この発明の好ましい態様の一つとされる。
【００１２】
また、前記係合部が前記係合凹部の近傍において前記摺接案内部に接する展開位置に至る直前の位置に前記脚体がある状態においては、係合位置に向けた前記ロック補助体の回動操作によって前記付勢手段の付勢に抗した前記爪体の回動が生じないようにしておくことが、この発明の好ましい態様の一つとされる。
【００１３】
このようにした場合、脚体の係合部がロックアーム体の係合凹部に係合していないことを、ロック補助体の操作を通じて操作者に認識させることができる。
【発明の効果】
【００１４】
この発明にかかるベッドにあっては、そのボトムを支える脚体が展開位置にあり、ベッドがボトムの上面のレベルを高くさせた利用状態にある状態を、ロック補助体とハンドルバーとの係合によって、安定的に確保させることができる。
【図面の簡単な説明】
【００１５】
【図１】図１は、この発明の一実施の形態にかかるベッドの側面構成図である。
【図２】図２は、同要部分解斜視構成図である。
【図３】図３は、同要部分解斜視構成図である。
【図４】図４は、前記ベッドの一部破断要部側面構成図であり、脚体は折り畳み位置にある。
【図５】図５は、前記ベッドの要部側面構成図であり、脚体は展開位置にある。
【図６】図６は、ロック補助体が基準位置にあるときのベッドの要部斜視構成図（ａ図）、および要部側面構成図（ｂ図）である。
【図７】図７は、ロック補助体を係合位置に向けて回動操作して爪体にハンドルバーが当接したときのベッドの要部斜視構成図（ａ図）、および要部側面構成図（ｂ図）である。
【図８】図８は、ロック補助体が係合位置にあるときのベッドの要部斜視構成図（ａ図）、および要部側面構成図（ｂ図）である。
【図９】図９は、ロック補助体の備えられた箇所におけるベッドの要部断面構成図である。
【図１０】図１０は、係合部が係合凹部の近傍において摺接案内部に接する脚体が展開位置に至る直前の位置にある状態の前記ベッドの要部側面構成図である。
【図１１】図１１は、従来のベッドの側面構成図である。
【図１２】図１２は、従来のベッドの側面構成図である。
【発明を実施するための形態】
【００１６】
以下、図１〜図１０に基づいて、この発明の典型的な実施の形態について、説明する。なお、ここで図１は実施の形態にかかるベッドの長さ側を側方から見た状態として、図２は図１の右側を構成する各部材を分離させた状態として、図３は図１の左側を構成する各部材を分離させた状態として、それぞれ示している。また、図４はボトム１の上面１０のレベルを低くさせた非利用状態にあるベッドの図１における右側の要部を拡大して、図５はボトム１の上面１０のレベルを高くさせた利用状態にあるベッドの図１における右側の要部を拡大して、それぞれ示している。
【００１７】
この実施の形態にかかるベッドは、寝具を載せるボトム１の上面１０のレベルを高くさせた利用状態とこれを低くさせた非利用状態との切り替え可能にこのボトム１を支持する脚体２を備えてなり、典型的には、親子ベッド（ペアベッドなどとも称される。）を構成する子ベッドとして利用されるものである。かかるベッドは、かかるベッドの脚体２をサポートするロックアーム体３に備え付けられて、かかるベッドが利用状態にある状態を、安定的に維持させるロック補助体４を備えている。
【００１８】
この実施の形態にかかるベッドをかかる子ベッドとする場合には、非利用状態においてボトム１の上面１０が、親子ベッドを構成する図示しない親ベッドのボトムの下面よりも低いレベルに位置されるように構成される。そして、非利用状態において、親ベッドのボトム下に子ベッドとして納め仕舞うようにする。また、この実施の形態にかかるベッドをかかる子ベッドとする場合には、利用状態においては、ボトム１の上面１０は親ベッドのボトムの上面と略同じレベルに位置されるように構成される。
【００１９】
この実施の形態にあっては、ボトム１は、平面視の状態において略長方形状をなすように構成されている。図中符号１１は、このボトム１の外郭を形成させる枠体である。このボトム１の上面１０にマットレスなどの寝具が載置される。典型的には、かかるボトム１の枠体１１、この枠体１１内に架設などされる寝具の支持部材１２、後述する脚体２、ロックアーム体３は金属により構成される。
【００２０】
脚体２は、図示の例では、ボトム１のヘッド側とフット側とにおいてそれぞれ、ボトム１の左右両側にそれぞれ備えられている。すなわち、かかるボトム１は四本の脚体２によって支えられるようになっている。なお、この実施の形態にかかるベッドは、ヘッド側とフット側を構造的に観念させない構成となっているため、本明細書においては説明の便宜の観点から、以下では図１の右側をヘッド側、左側をフット側としている。
【００２１】
図示の例では、各脚体２は、ボトム１に脚上端２０を回動可能に組み付けて、脚下端２１をこのボトム１に接しさせ又は近接させた折り畳み位置に位置づけ可能とされている。各脚体２は、角筒状をなすように構成されている。各脚体２の脚上端２０はいずれもボトム１の枠体１１に対しボトム１の左右方向に沿った軸２０ａをもって回動可能に組み合わされている。また、各脚体２の脚下端２１にはいずれもキャスター２１ａが備えられている。かかるキャスター２１ａの回転軸もボトム１の左右方向に沿っている。
【００２２】
より具体的には、ボトム１のヘッド側においては、左右の脚体２、２の脚下端２１側間に連結棒体２２を架設させてこの左右の脚体２、２を一体化させている。（図２）また、左右の脚体２、２間には、その長さ方向略中程の位置において、丸棒体２３が架設されている。すなわち、右側の脚体２の内側部に棒右端を一体に連接させると共に、左側の脚体２の内側部に棒左端を一体に連接させた丸棒体２３により、左右の脚体２、２は連結棒体２２よりも上方においてこの丸棒体２３によっても連結されている。かかる連結棒体２２と丸棒体２３との間には、連結棒体２２に板一辺を溶接させ、かつ、この板一辺に隣り合う板一辺を脚体２に溶接させて取り付けられた座板２４の下面に、補助キャスター２５がこの座板２４の板面に直交する軸をもって首振り可能に備えられている。脚体２の脚上端２０は、ボトム１のヘッド側の縁部から脚体２の長さ寸法分の距離を離した位置において、枠体１１の内側部に前記軸２０ａをもって回動可能に組み付けられている。脚体２はこの脚下端２１に備えたキャスター２１ａを折り畳み位置においてボトム１のヘッド側の縁部の下方に位置させ、ボトム１の下面に沿って横向きに配されるようになっている。そして、この折り畳み位置において補助キャスター２５を床面に接しさせてボトム１が支持されるようになっている。（図４）
【００２３】
また、ボトム１のフット側においても、左右の脚体２、２の脚下端２１側間に連結棒体２２を架設させてこの左右の脚体２、２を一体化させている。（図３）また、ボトム１のフット側においても、左右の脚体２、２間には、その長さ方向略中程の位置において、丸棒体２３が架設されている。すなわち、右側の脚体２の内側部に棒右端を一体に連接させると共に、左側の脚体２の内側部に棒左端を一体に連接させた丸棒体２３により、ボトム１のフット側においても、左右の脚体２、２は連結棒体２２よりも上方においてこの丸棒体２３によっても連結されている。かかる連結棒体２２と丸棒体２３との間には、連結棒体２２に板一辺を溶接させ、かつ、この板一辺に隣り合う板一辺を脚体２に溶接させて取り付けられた座板２４の下面に、補助キャスター２５がこの座板２４の板面に直交する軸をもって首振り可能に備えられている。ボトム１のフット側においても、脚体２の脚上端２０は、ボトム１のフット側の縁部から脚体２の長さ寸法分の距離を離した位置において、枠体１１の内側部に前記軸２０ａをもって回動可能に組み付けられている。ボトム１のフット側においても、脚体２はこの脚下端２１に備えたキャスター２１ａを折り畳み位置においてボトム１のフット側の縁部の下方に位置させ、ボトム１の下面に沿って横向きに配されるようになっている。そして、この折り畳み位置において補助キャスター２５を床面に接しさせてボトム１が支持されるようになっている。
【００２４】
このように構成される四つの脚体２を折り畳み位置に位置づけさせることで、ベッドは非利用状態とされる。（図３）この状態からボトム１を持ち上げ操作すると、四つの脚体２のそれぞれは、自重によりその脚上端２０をボトム１から離れ出させる向きに回動させ、所定の回動位置で後述するロックアーム体３によって支持されるようになっている。すなわち、この所定の回動位置が脚体２の展開位置であり、この展開位置において脚体２はキャスター２１ａを床面に接しさせてボトム１を支持しベッドは利用状態とされる。（図５）図示の例では、脚体２は、脚体２とボトム１とのなす角が約６５度となる位置まで回動されるようになっている。
【００２５】
なお、図示の例では、ボトム１のヘッド側において、左右の脚体２、２の一方とこのヘッド側にある枠体１１の内側部との間にガススプリング２６が配されている。また、ボトム１のフット側において、左右の脚体２、２の一方とこのフット側にある枠体１１の内側部との間にガススプリング２６が配されている。各ガススプリング２６は、ピストンロッド２６ａを脚体２に軸着し、シリンダー２６ｂのピストンロッド２６ａの突きだし側と反対の端部２６ｃを枠体１１の内側部に軸着させている。そして、脚体２が折り畳み位置にあるときに、最もピストンロッド２６ａがシリンダー２６ｂ内に押し込まれてピストンロッド２６ａに対する反力（押し出し方向の力）が大きくなるようにしてある。（図４）図示の例では、脚体２が折り畳み位置にあるとき、ピストンロッド２６ａの軸着位置の前方に脚体２の脚上端２０の回動組付け位置が位置されるようになっており、（図４）この脚体２が折り畳み位置にある状態においてはガススプリング２６は作用しないようになっている。この状態からボトム１を持ち上げ操作して脚体２が展開位置に向けてやや回動されると、脚体２の脚上端２０の回動組付け位置の下方にピストンロッド２６ａの軸着位置が位置されるようになることから、前記反力によるピストンロッド２６ａの伸張が許容され、この伸張により脚体２の展開位置への回動がアシストされるようになっている。
【００２６】
この実施の形態にかかるベッドにあっては、さらに、前記脚体２が展開位置にある状態を解除可能に維持するロックアーム体３を備えている。図示の例では、かかるロックアーム体３は、四本の脚体２のそれぞれに対応して設けられており、ロックアーム体３も四本備えられている。
【００２７】
各ロックアーム体３はそれぞれ、アーム自由端３０と反対のアーム端であってベッドが利用状態にあるときに上方に位置されるアーム基端３１を脚上端２０と異なる位置をもってボトム１に回動可能に組み付けている。
【００２８】
図示の例では、ロックアーム体３は、脚体２と略同じ長さを備えている。また、幅広の縦向きの側部３２と、幅狭で横向きのアーム下側部３３およびアーム上側部３４を備えた細長い板状をなすように構成されている。
【００２９】
ボトム１のヘッド側においては、左右のロックアーム体３、３はいずれも左右の脚体２、２の内側に位置されて、また、アーム基端３１をこのヘッド側にある枠体１１の幅側の内側部に対して左右方向に沿った軸３１ａをもって回動可能に組み付けられている。左右のロックアーム体３、３は、その長さ方向略中程の位置間に架設された連接棒体３５によって、一体化されている。左右のロックアーム体３、３のアーム下側部３３は左右の脚体２、２間に架設された丸棒体２３上に常時位置されるようになっており、これにより、ロックアーム体３は脚体２が折り畳み位置にあるときはアーム自由端３０をボトム１に近接させた横向きの状態に位置づけられ、脚体２が展開位置に向けて回動されるとアーム下側部３３を摺接案内部３３ａとして脚体２の丸棒体２３に摺接させながらアーム自由端３０を下方に向ける向きに展開回動されるようになっている。また、左右のロックアーム体３、３のアーム自由端３０はそれぞれ、ハンドルバー３６に一体に接続されている。このハンドルバー３６の右端は右側の脚体２の下方に位置されてこの右側の脚体２の外面２７よりも外方に突き出し、このハンドルバー３６の左端は左側の脚体２の下方に位置されてこの左側の脚体２の外面２７よりも外方に突き出している。すなわち、前記ハンドルバー３６は、前記ロックアーム体３のアーム自由端３０に、前記ロックアーム体３の回動軸線にバー中心軸線を平行とするように備えられている。
【００３０】
また、ボトム１のフット側においても、左右のロックアーム体３、３はいずれも左右の脚体２、２の内側に位置されて、また、アーム基端３１をこのフット側にある枠体１１の幅側の内側部に対して左右方向に沿った軸をもって回動可能に組み付けられている。また、ボトム１のフット側においても、左右のロックアーム体３、３は、その長さ方向略中程の位置間に架設された連接棒体３５によって、一体化されている。また、ボトム１のフット側においても、左右のロックアーム体３、３のアーム下側部３３は左右の脚体２、２間に架設された丸棒体２３上に常時位置されるようになっており、これにより、ロックアーム体３は脚体２が折り畳み位置にあるときはアーム自由端３０をボトム１に近接させた横向きの状態に位置づけられ、脚体２が展開位置に向けて回動されるとアーム下側部３３を脚体２の丸棒体２３に摺接させながらアーム自由端３０を下方に向ける向きに展開回動されるようになっている。また、ボトム１のフット側においても、左右のロックアーム体３、３のアーム自由端３０はそれぞれ、ハンドルバー３６に一体に接続されている。このハンドルバー３６の右端は右側の脚体２の下方に位置されてこの右側の脚体２の外面２７よりも外方に突き出し、このハンドルバー３６の左端は左側の脚体２の下方に位置されてこの左側の脚体２の外面２７よりも外方に突き出している。すなわち、前記ハンドルバー３６は、前記ロックアーム体３のアーム自由端３０に、前記ロックアーム体３の回動軸線にバー中心軸線を平行とするように備えられている。
【００３１】
また、各ロックアーム体３のアーム自由端３０側には、アーム下側部３３側からアーム上側部３４側に向けて形成された切り欠きにより、左右方向にに貫通し且つ下方に入り口３７ａを向けた係合凹部３７が設けられている。この係合凹部３７は左右の脚体２、２間に架設された丸棒体２３を納める内奥部３７ｂと、これに続く前記入り口３７ａとを備えている（図４）。
【００３２】
そして、この実施の形態にあっては、ロックアーム体３は、ボトム１の持ち上げ操作により折り畳み位置から展開位置へ向けて脚体２が回動されるとアーム下側部３３を摺接案内部３３ａとして脚体２の丸棒体２３に摺接させながらアーム自由端３０を下方に向ける向きに展開回動されると共に、脚体２が展開位置に至ったときに係合凹部３７に丸棒体２３が入り込み、これにより展開位置に至った脚体２の折り畳み位置への回動を阻止してベッドが利用状態にある状態を維持するようになっている。図示の例では、ロックアーム体３は、ボトム１の下面とのなす角が約３５度となる位置まで展開回動され、この位置で係合凹部３７に丸棒体２３を受け入れさせ、この位置で脚体２とは略９０度の角度をもって交わるようになっている。
【００３３】
すなわち、この実施の形態にあっては、脚体２の丸棒体２３がロックアーム体３の係合凹部３７に係合される係合部２３ａとして機能するようになっている。そして、ロックアーム体３は、かかる脚体２が折り畳み位置にあるときにこの脚体２とボトム１との間に折り畳み状に支持されるようになっている。展開位置にある脚体２のロックアーム体３による支持状態は、前記ハンドルバー３６を利用してロックアーム体３を上方に向けて回動させて係合凹部３７から係合部２３ａを抜け出させることで解くことができ、この状態からボトム１を下方に押し下げる操作をすることで、脚体２を折り畳み位置に回動させ戻すことができる。図中、符号３８で示すのは、ロックアーム体３に形成されて、脚体２のかかる折り畳み位置において、係合部２３ａの上端を収める凹所である。
【００３４】
また、前記脚体２には、基準位置と係合位置とに亘る回動可能に備えられると共に、前記脚体２の展開位置において前記ハンドルバー３６に係合して前記ロックアーム体３の上方への回動を抑止するロック補助体４が備えられている。
【００３５】
図示の例では、かかるロック補助体４は、ボトム１のヘッド側及びフット側においてそれぞれ、左右の脚体２、２の一方の外面２７に備えられている。
【００３６】
また、前記脚体２には、前記ロック補助体４を基準位置に向けて常時付勢する付勢手段４０が備えられている。
【００３７】
前記ロック補助体４は、前記脚体２が展開位置にある状態において、前記ハンドルバー３６を受入する下側開放の受入凹部４１を有している。
【００３８】
また、かかるロック補助体４は、前記脚体２に回動可能に組み合わされ、且つ、前記受入凹部４１の左右内壁４１ａ、４１ａの一方となる第一部分４２ａを備えたベース４２と、前記ベース４２に回動可能に組み合わされ、且つ、前記受入凹部４１の左右内壁４１ａ、４１ａの他方となる第二部分４３ａを備えた爪体４３と、前記爪体４３に対する付勢手段４４とを備えている。
【００３９】
図示の例では、ベース４２は、一端を前記ガススプリング２６のピストンロッド２６ａの軸着位置と同じ位置において脚体２に軸着させると共に、他端に前記第一部分４２ａとなる突出部分４２ｂと、前記受入凹部４１の内奥部４１ｂとなる先端縁部４２ｃとを備えた構成となっている。かかるベース４２の軸着位置には、かかるベース４２と脚体２との間において、一方の腕をベース４２に固定し、かつ、他方の腕を脚体２に固定したねじりコイルバネ４０ａの巻回部が支持されており、このねじりコイルバネ４０ａによってロック補助体４は基準位置に向けて常時付勢されるようになっている。図中符号２８は脚体２に設けたストッパであり、ロック補助体４はベース４２の一端と他端との間に亘る左右の側縁部４２ｄの一方を基準位置において前記ストッパ２８に突き当てるようになっている（図６）。
【００４０】
また、図示の例では、爪体４３は、前記ベース４２の他端側であって、このベース４２の外面側に回動可能に組み合わされている。爪体４３は、一端をベース４２の前記突出部分４２ｂに軸着すると共に、他端に前記第二部分４３ａを構成する突出部分４３ｂを有し、この突出部分４３ｂと一端との間に前記受入凹部４１の内奥部４１ｂとなる部分４３ｃを備えた構成となっている。かかる爪体４３の軸着位置には、かかる爪体４３とベース４２との間において、一方の腕をベース４２に固定し、かつ、他方の腕を爪体４３に固定したねじりコイルバネ４４ａの巻回部が支持されており、このねじりコイルバネ４４ａによって爪体４３はその第二部分４３ａを前記第一部分４２ａに平行に位置づけた回動前位置に位置づけられるようになっている。図中符号４３ｄは爪体４３に設けたストッパであり、爪体４３はベース４２の一端と他端との間に亘る左右の側縁部４２ｄの一方に前記回動前位置において前記ストッパ４３ｄを突き当てるようになっている。前記爪体４３の他端側には、前記第二部分４３ａの外側において、前記軸着位置を湾曲内側とする仮想の円の円弧に倣ったカム縁４３ｅが形成されている。
【００４１】
そして、この実施の形態にあっては、前記脚体２を展開位置に位置づけた状態から、基準位置にあるロック補助体４を付勢手段４０としてのねじりコイルバネ４０ａの付勢に抗して回動操作すると、前記爪体４３のカム縁４３ｅにハンドルバー３６における脚体２の外面２７よりも側方に突き出している箇所が当接して前記付勢手段４４としてのねじりコイルバネ４４ａの付勢に抗して前記爪体４３が回動し、前記受入凹部４１へのハンドルバー３６の受入がなされるようになっている。
【００４２】
これにより、この実施の形態にかかるベッドにあっては、脚体２２が展開位置にある状態を簡素な構造をもって安定的に維持させることができる。すなわち、脚体２２の展開位置においてロックアーム体３３の係合凹部３７に入り込んだ脚体２２の係合部２３ａはロックアーム体３を上方に回動させない限り係合凹部３７から抜け出されることはないところ、ロック補助体４とハンドルバー３６との係合を解除しない限り、係合位置にあるロック補助体４によってロックアーム体３の上方への回動は抑止される。
【００４３】
基準位置にあるロック補助体４は、図中符号４５で示される操作つまみを利用して係合位置に向けて回動操作できるようになっている。
【００４４】
前記受入凹部４１にハンドルバー３６を受入させたロック補助体４が係合位置にある状態は、前記付勢手段４４としてのねじりコイルバネ４４ａの付勢に抗して爪体４３を回動操作をすることで解除される。この回動操作は、図中符号４３ｆで示される操作つまみを利用してなせるようになっている。この回動操作後前記操作つまみ４３ｆをリリースすると、前記付勢手段４４としてのねじりコイルバネ４４ａの付勢により爪体４３は回動前位置に強制的に復動されると共に、前記付勢手段４０としてのねじりコイルバネ４０ａの付勢によりロック補助体４は強制的に基準位置に復動される。
【００４５】
また、この実施の形態にあっては、図１０に示されるように、前記係合部２３ａが前記係合凹部３７の近傍において前記摺接案内部３３ａに接する展開位置に至る直前の位置に前記脚体２がある状態においては、係合位置に向けた前記ロック補助体４の回動操作によって前記付勢手段４４の付勢に抗した前記爪体４３の回動が生じないようにしてある。すなわち、図１０に示される状態において、基準位置にあるロック補助体４を係合位置に向けて回動操作すると、ロックアーム体３が爪体４３のカム縁４３ｅの形成されていない箇所４３ｇに突き当たり、前記付勢手段４４としてのねじりコイルバネ４４ａの付勢に抗して爪体４３が回動されないようになっている。これにより、この実施の形態にあっては、脚体２の係合部２３ａがロックアーム体３の係合凹部３７に係合していないことを、ロック補助体４の操作を通じて操作者に認識させるようになっている。
【００４６】
図示は省略するが、ロックアーム体３には、さらに、特許第５１０６４７５号公報に示されるように、脚体２の展開位置への回動に伴って自重により移動して前記係合凹部３７の入り口３７ａを狭め又は閉鎖するロック補助体を備えさせるようにしても構わない。
【００４７】
なお、当然のことながら、本発明は以上に説明した実施形態に限定されるものではなく、本発明の目的を達成し得るすべての実施形態を含むものである。
【符号の説明】
【００４８】
１  ボトム
２  脚体
２３ａ  係合部
３  ロックアーム体
３０  アーム自由端
３３ａ  摺接案内部
３６  ハンドルバー
３７  係合凹部
４  ロック補助体
【図１】
0006537294.tif 000002
【図２】
0006537294.tif 000003
【図３】
0006537294.tif 000004
【図４】
0006537294.tif 000005
【図５】
0006537294.tif 000006
【図６】
0006537294.tif 000007
【図７】
0006537294.tif 000008
【図８】
0006537294.tif 000009
【図９】
0006537294.tif 000010
【図１０】
0006537294.tif 000011
【図１１】
0006537294.tif 000012
【図１２】
0006537294.tif 000013